(57)【特許請求の範囲】
【請求項１】
便器に据え付けられる基部と、前記基部に上下方向に回動可能に設けられ使用者の尻部が着座する便座と、前記基部に前進および後退可能に配設され前進位置で前記使用者の局部に洗浄液を吹き出すとともに後退位置で退避する洗浄ノズルと、前記基部に設けられ前記洗浄ノズルが出し入れされる開口をもつノズル出入壁と、前記ノズル出入壁を開閉可能に覆うとともに、前記洗浄ノズルが前進位置に位置するとき開放し、且つ、前記洗浄ノズルが後退位置に位置するとき閉鎖するように前記基部に設けられたシャッタとを備えており、前記ノズル出入壁は、これの上部から下部に向かうにつれて、便座下降時の便座中央から離間するように仮想水平線に対して５０度以下の第１傾斜角度で傾斜し、
前記シャッタは、これが閉鎖しているとき、前記シャッタの上部から前記シャッタの下部に向かうにつれて、前記便座中央から離間するように前記仮想水平線に対して５０度以下の第２傾斜角度で傾斜し、
前記第１傾斜角度および／または前記第２傾斜角度は前記仮想水平線に対して４５度以下に設定され、且つ、
前記第１傾斜角度が前記第２傾斜角度より大きいことを特徴とする局部洗浄装置。
【請求項２】
便器に据え付けられる基部と、前記基部に上下方向に回動可能に設けられ使用者の尻部が着座する便座と、前記基部に前進および後退可能に配設され前進位置で前記使用者の局部に洗浄液を吹き出すとともに後退位置で退避する洗浄ノズルと、前記基部に設けられ前記洗浄ノズルが出し入れされる開口をもつノズル出入壁と、前記ノズル出入壁を開閉可能に覆うとともに、前記洗浄ノズルが前進位置に位置するとき開放し、且つ、前記洗浄ノズルが後退位置に位置するとき閉鎖するように前記基部に設けられたシャッタとを備えており、前記ノズル出入壁は、これの上部から下部に向かうにつれて、便座下降時の便座中央から離間するように仮想水平線に対して５０度以下の第１傾斜角度で傾斜し、
前記洗浄ノズルが後退して前記基部の収容室に収容されているとき、前記基部に設けられている前記ノズル出入壁と、前記洗浄ノズルの先端面とが面一状態であり、前記シャッタの裏面は、前記シャッタの閉鎖時に前記洗浄ノズルの前記先端面に沿って設けられていることを特徴とする局部洗浄装置。
【請求項３】
便器に据え付けられる基部と、前記基部に上下方向に回動可能に設けられ使用者の尻部が着座する便座と、前記基部に前進および後退可能に配設され前進位置で前記使用者の局部に洗浄液を吹き出すとともに後退位置で退避する洗浄ノズルと、前記基部に設けられ前記洗浄ノズルが出し入れされる開口をもつノズル出入壁と、前記ノズル出入壁を開閉可能に覆うとともに、前記洗浄ノズルが前進位置に位置するとき開放し、且つ、前記洗浄ノズルが後退位置に位置するとき閉鎖するように前記基部に設けられたシャッタとを備えており、前記ノズル出入壁は、これの上部から下部に向かうにつれて、便座下降時の便座中央から離間するように仮想水平線に対して５０度以下の第１傾斜角度で傾斜し、
前記基部は、臭気を吸い込むための吸込開口を備えており、前記吸込開口は、閉鎖している前記シャッタよりも前記便座中央から離間する位置に配置されていることを特徴とする局部洗浄装置。
【請求項４】
請求項３において、前記基部は、便座中央から離間するにつれて上昇傾斜するとともに前記便器の便器排泄空間に対面可能な傾斜壁を備え、前記吸込開口は前記傾斜壁において開口していることを特徴とする局部洗浄装置。
【請求項５】
請求項２〜４のうちの１項において、前記シャッタは、これが閉鎖しているとき、前記シャッタの上部から前記シャッタの下部に向かうにつれて、前記便座中央から離間するように前記仮想水平線に対して５０度以下の第２傾斜角度で傾斜していることを特徴とする局部洗浄装置。
【請求項６】
請求項５において、前記第１傾斜角度および／または前記第２傾斜角度は前記仮想水平線に対して４５度以下に設定されていることを特徴とする局部洗浄装置。
【請求項７】
請求項１〜６のうちの一項において、前記基部は係合部を備えており、前記シャッタは、前記基部の前記係合部に脱着可能な被係合部を備えており、前記シャッタは前記基部に対して脱着可能とされていることを特徴とする局部洗浄装置。
【請求項８】
請求項１〜７のうちの一項において、前記基部の収容室にはシャッタ閉鎖機構が設けられ、シャッタ閉鎖方向に向けて前記シャッタを常時付勢する付勢部材が設けられていることを特徴とする局部洗浄装置。
【請求項９】
請求項１〜８のうちの一項において、前記洗浄ノズルの下面部にはラック歯をもつラックが列設されており、前記ラック歯のそれぞれの先端部は前記洗浄ノズルの外周壁面と略同じ曲率であることを特徴とする局部洗浄装置。
【発明の詳細な説明】
【技術分野】
【０００１】
本発明は、便座に着座する使用者の局部を洗浄する洗浄ノズルを備える局部洗浄装置に関する。
【背景技術】
【０００２】
局部洗浄装置は、便器に据え付けられる基部と、基部に回動可能に設けられた便座と、基部に前進および後退可能に配設された洗浄ノズルとを備えている。基部は、洗浄ノズルが出し入れされる開口をもつノズル出入壁を備えている。洗浄ノズルがノズル出入壁の開口から前進して前進位置に至ると、洗浄ノズルは使用者の局部に向けて洗浄水を吹き出し、局部を洗浄する。洗浄終了後に、洗浄ノズルは後退して開口から基部内に収容される。
【０００３】
更に上記した局部洗浄装置として、洗浄ノズルが使用されていないとき、例えば使用者が放尿するとき、飛沫等が洗浄ノズルに付着しないように、洗浄ノズルを覆うシャッタが設けられているものが開発されている（特許文献１）。
【特許文献１】特開平１０−１３１２６５号公報
【発明の開示】
【発明が解決しようとする課題】
【０００４】
上記した局部洗浄装置によれば、洗浄ノズルが前進して前進位置に至ると、洗浄ノズルは使用者の局部に向けて洗浄水を吹き出し、局部を洗浄する。
【０００５】
ところで、近年、洗浄ノズルが出し入れされる開口をもつノズル出入壁を基部に形成したものが開発されている（本出願時に未公知）。このものによれば、洗浄の際または放尿の際の飛沫が基部のノズル出入壁に付着することを抑えることが要請されている。
【０００６】
更に、上記したようにシャッタが設けられているタイプの局部洗浄装置では、洗浄ノズルから吹き出される洗浄水で局部を洗浄しているとき、飛沫がシャッタに付着するおそれがある。付着跡はシャッタの汚れの１種となるおそれがある。この場合、トイレに入った使用者がシャッタにおける付着跡を視認することになり易く、好ましくない。
【０００７】
本発明は上記した実情に鑑みてなされたものであり、第１発明は、飛沫が基部のノズル出入壁に付着することを抑えると共に、万一付着したとしても、トイレに入った使用者がノズル出入壁における付着跡を視認することを抑えるのに有利な局部洗浄装置を提供することを課題とする。また第２発明は、飛沫がシャッタに付着することを抑えると共に、万一付着したとしても、トイレに入った使用者がシャッタにおける付着跡を視認することを抑えるのに有利な局部洗浄装置を提供することを課題とする。
【課題を解決するための手段】
【０００８】
第１発明にかかる局部洗浄装置は、便器に据え付けられる基部と、基部に上下方向に回動可能に設けられ使用者の尻部が着座する便座と、基部に前進および後退可能に配設され位置で使用者の局部に洗浄液を吹き出すとともに後退位置で退避する洗浄ノズルと、基部に設けられ前記洗浄ノズルが出し入れされる開口をもつノズル出入壁と、ノズル出入壁を開閉可能に覆うとともに、洗浄ノズルが前進位置に位置するとき開放し、且つ、洗浄ノズルが後退位置に位置するとき閉鎖するように基部に設けられたシャッタとを備えており、ノズル出入壁は、これの上部から下部に向かうにつれて、便座下降時の便座中央から離間するように仮想水平線に対して５０度以下の第１傾斜角度で傾斜していることを特徴とする。
第１発明にかかる局部洗浄装置は、以下の（１）〜（３）のうちの少なくとも１つの構成をもつ。（３）の構成をもつ場合には（４）の構成をもつことができる。
（１）前記洗浄ノズルが後退して前記基部の収容室に収容されているとき、前記基部に設けられている前記ノズル出入壁と、前記洗浄ノズルの先端面とが面一状態であり、前記シャッタの裏面は、前記シャッタの閉鎖時に前記洗浄ノズルの前記先端面に沿って設けられている。
（２）前記シャッタは、これが閉鎖しているとき、前記シャッタの上部から前記シャッタの下部に向かうにつれて、前記便座中央から離間するように前記仮想水平線に対して５０度以下の第２傾斜角度で傾斜し、
前記第１傾斜角度および／または前記第２傾斜角度は前記仮想水平線に対して４５度以下に設定され、且つ、
前記第１傾斜角度が前記第２傾斜角度以上になる。
（３）前記基部は、臭気を吸い込むための吸込開口を備えており、前記吸込開口は、閉鎖している前記シャッタよりも前記便座中央から離間する位置に配置されている。
（４）前記基部は、便座中央から離間するにつれて上昇傾斜するとともに前記便器の便器排泄空間に対面可能な傾斜壁を備え、前記吸込開口は前記傾斜壁において開口している。
【０００９】
本発明によれば、ノズル出入壁は、洗浄ノズルが出し入れされる開口をもつ。ノズル出入壁は、ノズル出入壁の上部からノズル出入壁の下部に向かうにつれて、便座下降時の便座中央から離間するように仮想水平線に対して第１傾斜角度で傾斜している。便座中央は、使用者が着座できるように便器上に下降した便座の外輪郭の中央を意味する。
【００１０】
使用者が便座に着座して局部を洗浄するときには、洗浄ノズルがノズル出入壁の開口から前進位置に向けて前進する。そして、前進位置にある洗浄ノズルから洗浄液が局部に向けて吹き出され、使用者の局部が洗浄される。このように局部を洗浄する洗浄液の飛沫が飛散するおそれがある。しかし、ノズル出入壁は、上部から下部に向かうにつれて、便座中央から離間するように、仮想水平線に対して第１傾斜角度で傾斜しており、局部洗浄位置から退避するように傾斜している。このため局部洗浄の際の飛沫がノズル出入壁に付着することが抑制される。
【００１１】
更に、飛沫がノズル出入壁の開口から基部内に進入したりすることが抑制される。更に、使用者（男性使用者）が放尿するときであっても、ノズル出入壁は前述したように傾斜しており、放尿位置から退避するように傾斜している。このため、放尿の飛沫がノズル出入壁に付着することが抑制される。従って衛生的である。
【００１２】
万一、局部洗浄の際の飛沫、放尿の飛沫等がノズル出入壁に付着するようなことがあるとしても、ノズル出入壁は、上部から下部に向かうにつれて、便座中央から離間するように、仮想水平線に対して第１傾斜角度で傾斜している。このため、使用者の視線からノズル出入壁は退避するように傾斜しており、使用者の視線はノズル出入壁を視認しにくい。このため使用者に不快感に与えることが抑えられる。
【００１３】
上記した第１傾斜角度は適宜設定されるが、使用者の視線からノズル出入壁を退避させることを考慮すると、仮想水平線に対して４８度以下、４６度以下、４５度以下、４０度以下に設定することができる。なお、使用者の視線からノズル出入壁を更に退避させること、ノズルの組付性や操作性などの事情を考慮すると、第１傾斜角度は仮想水平線に対して５度以上、１０度以上、１５度以上、更には２０度以上、３０度以上とすることができる。場合によっては、ノズル出入壁は仮想水平線とほぼ平行に沿っていても良い。
【００１４】
第１発明にかかる局部洗浄装置によれば、上記様相において、ノズル出入壁を開閉可能に覆うとともに、洗浄ノズルが前進位置に位置するとき開放し、且つ、洗浄ノズルが後退位置に位置するとき閉鎖するシャッタを備えている。好ましくは、シャッタは、これが閉鎖しているときには、シャッタの上部からシャッタのシャッタ部に向かうにつれて、便座中央から離間するように仮想水平線に対して第２傾斜角度で傾斜している。
【００１５】
使用者（例えば男性使用者）が便器に放尿するとき、シャッタは洗浄ノズルを覆っているため、放尿の飛沫が洗浄ノズルに付着することを抑える機能を果たす。
【００１６】
便座に着座している使用者が局部を洗浄するときには、洗浄ノズルが前進位置に前進する。そして、前進位置にある洗浄ノズルから洗浄液が使用者の局部に向けて吹き出され、局部が洗浄される。このように局部を洗浄液で洗浄する際、飛沫がシャッタに飛散するおそれがある。このように万一、飛沫がシャッタに付着したとしても、シャッタが閉鎖している場合には、シャッタはシャッタの上部からシャッタの下部に向かうにつれて、便座中央から離間するように仮想水平線に対して第２傾斜角度で傾斜している。このため、使用者の視線からシャッタはできるだけ退避するように傾斜している。従って、使用者の視線は閉鎖中のシャッタを視認しにくい。
【００１７】
また、使用者（例えば男性使用者）が便器に放尿するとき、シャッタは閉鎖されている。好ましくは、シャッタは、シャッタの上部からシャッタのシャッタ部に向かうにつれて、便座中央から離間するように仮想水平線に対して第２傾斜角度で傾斜している、このため放尿の飛沫が閉鎖中のシャッタに付着することが抑えられる。万一、飛沫がシャッタに付着するようなことがあるとしても、シャッタは閉鎖しているときには、前述のように、使用者の視線からシャッタは退避するように傾斜しているため、使用者の視線はシャッタにおける付着跡を視認しにくい。このため使用者に不快感に与えることが抑えられる。
【００１８】
なお、シャッタの第２傾斜角度は適宜設定されるが、使用者の視線からシャッタを退避させることを考慮すると、仮想水平線に対して４７度以下、４６度以下、４５度以下、４０度以下に設定することができる。第２傾斜角度は第１傾斜角度と実質的に同一にできる。
【００１９】
本発明によれば、基部は係合部を備えており、シャッタは、基部の係合部に脱着可能な被係合部を備えており、シャッタは基部に対して脱着可能とされていることが好ましい。シャッタを基部から脱着すれば、シャッタを容易に清掃できる。更に、基部のうちシャッタが取り付けられていた部位についても、容易に清掃でき、衛生面において有利である。
【００２０】
また基部は、臭気を吸い込むための吸込開口を備えており、吸込開口は、閉鎖しているシャッタよりも便座中央から離間する位置に配置されていることが好ましい。この場合、前進位置にある洗浄ノズルから洗浄液を吹き出して局部を洗浄しているとき、局部を洗浄する洗浄液の飛沫が吸込開口に付着したり、進入したりすることが抑制される。
【００２１】
更に、基部は、便座中央から離間するにつれて上昇傾斜するとともに便器内に対面可能な傾斜壁を備えており、吸込開口は傾斜壁に開口していることが好ましい。この場合、前進位置にある洗浄ノズルから洗浄液を吹き出して局部を洗浄しているとき、吸込開口は局部に対面しにくいため、局部を洗浄する洗浄液の飛沫が吸込開口に付着したり、進入したりすることが抑制される。この場合、ラック歯のそれぞれの先端部は洗浄ノズルの外周壁面と略同じ曲率である。
【発明の効果】
【００２２】
第１発明によれば、ノズル出入壁は前述のように傾斜しているため、洗浄の際または放尿の際の飛沫がノズル出入壁に付着することが抑えられる。更に、万一、飛沫がノズル出入壁に付着したとしても、トイレに入った使用者の視線からノズル出入壁をできるだけ退避させることができ、使用者がノズル出入壁における付着跡を視認することを抑え、使用者が不快感を感じることを抑えるのに有利となる。
【００２３】
第２発明によれば、閉鎖しているシャッタは前述のように傾斜しているため、洗浄の際または放尿の際の飛沫が、閉鎖中のシャッタに付着することが抑えられる。更に、万一、飛沫がシャッタに付着したとしても、トイレに入った使用者の視線からシャッタをできるだけ退避させることができ、使用者がシャッタにおける付着跡を視認することを抑え、使用者が不快感を感じることを抑えるのに有利となる。
【発明を実施するための最良の形態】
【００２４】
以下、本発明を具体化した実施形態を説明する。
【００２５】
（実施形態１）
図１〜図１５は実施形態１を示す。図１は局部洗浄装置の概念を示す。図１に示すように、局部洗浄装置は、洋式の便器１に据え付けられる基部２と、基部２に上下方向に回動可能に設けられた便座３と、基部２に上下方向に回動可能に設けられ便座３の上側に位置する便蓋４とを備えている。便座中央３ｃは、使用者が着座できるように便器１上に下降した便座３の中央を意味する。便器１は、排泄物が排泄される便器排泄空間１１を有する。本明細書で前方とは、便座３に着座する使用者の顔面が指向する方向を示す。後方とは、便座３に着座する使用者の背中が指向する方向を示す。
【００２６】
基部２は樹脂を基材としており、便器１の後部の水平方向に沿った取付面に据え付けられる板状をなすベース２０（図２参照）と、ベース２０に着脱可能に被着されるカバー２２（図１参照）とを備えている。ベース２０は基部２の底部として機能する。カバー２２は箱形状をなしている。図１に示すように、基部２は操作パネル２３を有する。操作パネル２３は、第１洗浄ノズル用のスイッチ２３ａ、第２洗浄ノズル用のスイッチ２３ｂおよび乾燥ノズル用のスイッチ２３ｃ等を有する。
【００２７】
図３および図４は基部２のベース２０付近を示す。図３および図４に示すように、基部２のベース２０には、便局部洗浄用の第１洗浄ノズル４１、ビデ洗浄用の第２洗浄ノズル４２および乾燥用の乾燥ノズル４３が並設されている。第１洗浄ノズル４１、第２洗浄ノズル４２および乾燥ノズル４３は、これらの先端部に向かうにつれて下方となるように傾斜されており、基部２のベース２０に対して矢印Ａ１方向に前進および矢印Ａ２方向に後退可能に配設されている。
【００２８】
第１洗浄ノズル４１は、矢印Ａ１方向に前進し、前進位置に位置するとき、先端部上面に形成されている吹出口から使用者の局部に向けて洗浄水を吹き出す。第１洗浄ノズル４１は便局部洗浄用である。第２洗浄ノズル４２は、矢印Ａ１方向に前進し、前進位置に位置するとき、先端部上面に形成されている吹出口から使用者の局部に向けて洗浄水を吹き出す。第２洗浄ノズル４２はビデ洗浄用である。第１洗浄ノズル４１および第２洗浄ノズル４２は、矢印Ａ２方向に後退すると、後退位置で基部２に収容される。乾燥ノズル４３は洗浄した局部を乾燥させるものであり、矢印Ａ１方向に前進し、前進位置に位置するとき、使用者の局部に向けて吹出口から乾燥空気を吹き出す。乾燥ノズル４３は矢印Ａ２方向に後退すると後退位置で基部２に収容される。
【００２９】
図７に示すように、第１洗浄ノズル４１の下面部には、退避凹部４１ｃが形成されている。退避凹部４１ｃは、第１洗浄ノズル４１の先端面４１ｆの外縁４１ｘよりも寸法ΔＥ、径内方向（第１洗浄ノズル４１の中心線Ｐｘ側）に凹んで退避している。図７に示すように、この退避凹部４１ｃにラック４１ｂが形成されている。図７に示すように、第１洗浄ノズル４１の中心線Ｐｘと第１洗浄ノズル４１の先端面４１ｆの外縁４１ｘとの距離をＥ１とする。第１洗浄ノズル４１の中心線Ｐｘとラック４１ｂの径外先端４１ｙとの距離（第１洗浄ノズル４１の軸直角方向の距離）をＥ２とする。Ｅ２はＥ１よりも微小量小さく設定されている（Ｅ２＜Ｅ１）。場合によっては、Ｅ２はＥ１と同じ大きさとされている（Ｅ２≒Ｅ１、Ｅ２＝Ｅ１）。このため後述する円形状の開口５ａからラック４１ｂは良好に露出できる。
【００３０】
図７に示すように、第１洗浄ノズル４１〜乾燥ノズル４３の上面側には、カバー２２の一部２２ｋが延設されている。また、第１洗浄ノズル４１〜乾燥ノズル４３の下面側には、第１洗浄ノズル４１〜乾燥ノズル４３を案内するためのノズルガイド４４が設けられている。更に図５に示すように、基部２の収容室２４内には前進後退機構４６Ａが設けられている。前進後退機構４６Ａは、第１洗浄ノズル４１の下面部に形成されたラック４１ｂにかみ合うピニオン４７（回転作動子）と、ピニオン４７を回転させる駆動源としてのモータ４８とを備えている。モータ４８が一方向に回転してピニオン４８が一方向に回転すれば、ラック４１ｂをもつ第１洗浄ノズル４１が矢印Ａ１方向に前進する。これに対してモータ４８が他方向に回転してピニオン４７が他方向に回転すれば、ラック４１ｂをもつ第１洗浄ノズル４１が矢印Ａ２方向に後退する。第２洗浄ノズル４２にも同様な前進後退機構４６Ｂが設けられている。乾燥ノズル４３にも同様な前進後退機構４６Ｃが設けられている。
【００３１】
図６に示すように、基部２のベース２０は取付面１５に取り付けられるものである。取付面１５は、便器１の後部のうち水平方向に沿っている。故にベース２０は水平方向に沿っている。基部２は、便器１の便器排泄空間１１に対面するノズル出入壁５を備えている。ノズル出入壁５はベース２０の前方に位置している。ノズル出入壁５の表面５０は、ノズル出入壁５の上部５ｕからノズル出入壁５の下部５ｄに向かうにつれて、便器１の前後方向（矢印ＦＲ方向）において、便座中央３ｃから離間するように（ベース２０の後部２０ｒに接近するにつれて）、仮想水平線Ｈ１に対して第１傾斜角度θ１で傾斜している。従って、仮想水平線Ｈ１はベース２０の下面２０ｄまたは便器１の取付面１５に相当するといえる。第１傾斜角度θ１としては適宜選択されるが、便座３の前部側に存在する使用者の視線からノズル出入壁５が退避することを考慮すると、仮想水平線Ｈ１に対して４８度以下、殊に４５度以下とすることができる。使用者の視線からノズル出入壁５が更に退避することを考慮すると、１０度以上、１５度以上とすることができる。ここで、鉛直線をＰ１とすると、ノズル出入壁５と鉛直線Ｐ１との間の角度α１としては、４０度以上、４５度以上、５０度以上とすることができ、７５度以下、８０度以下とすることができる。
【００３２】
図３，図５〜図７に示すように、基部２のノズル出入壁５を開閉可能に覆うシャッタ６が基部２に設けられている。図３はシャッタ６が閉鎖している状態の斜視図を示す。図４はシャッタ６が離脱されている状態の斜視図を示す。図５はシャッタ６が閉鎖している状態を示す。図６はシャッタ６が開放している状態を示す。図７はシャッタ６が閉鎖している状態を拡大して示す。
【００３３】
ここで、使用者（例えば男性使用者）が便器１の便器排泄空間１１に放尿するとき、第１洗浄ノズル４１、第２洗浄ノズル４２、乾燥ノズル４３は後退位置に位置している。このとき、図５および図７に示すように、シャッタ６は閉鎖されており、第１洗浄ノズル４１の先端面４１ｆに密接している。この結果、第１洗浄ノズル４１の先端面４１ｆに放尿の飛沫が付着することが抑えられている。このようにシャッタ６が閉鎖されているとき、シャッタ６は、第２洗浄ノズル４２の先端面４２ｆ、乾燥ノズル４３の先端面４３ｆに密接しており、後述の開口５ａ，５ｂ，５ｃを閉鎖している。この結果、第２洗浄ノズル４２の先端面４２ｆ、乾燥ノズル４３の先端面４３ｆに放尿の飛沫が付着することが抑制されている。
【００３４】
ここで、第１洗浄ノズル４１、第２洗浄ノズル４２および乾燥ノズル４３のうちのいずれかが矢印Ａ１方向に前進するとき、シャッタ６はそのノズルの先端部に押されてシャッタ開放方向（図７に示す矢印Ｒ２方向）開放する。第１洗浄ノズル４１、第２洗浄ノズル４２および乾燥ノズル４３の全部が後退して後退位置に位置するとき、シャッタ６は後述のシャッタ閉鎖機構６５により自動的に閉鎖し、第１洗浄ノズル４１の先端面４１ｆ、第２洗浄ノズル４２の先端面４２ｆ、乾燥ノズル４３の先端面４３ｆを覆う。これにより飛沫等が各ノズルの先端部に付着することを防止する。
【００３５】
次にシャッタ６について説明を加える。図５に示すように、シャッタ６が閉鎖しているとき、シャッタ６の上部６ｕからシャッタ６の下部６ｄに向かうにつれて、シャッタ６は、便座中央３ｃから離間するように仮想水平線Ｈ１に対して第２傾斜角度で傾斜している。第２傾斜角度は前記した第１傾斜角度θ１と同一または実質的に同一とされている。従ってシャッタ６が閉鎖しているとき、便器１の前後方向（矢印ＦＲ方向）において、シャッタ６の表面６０（即ち、シャッタ６のうち便器排泄空間１１に対面する表面）は、仮想水平線Ｈ１に対して傾斜角度θ１で傾斜している。便座３の前部３ｆ側に存在する使用者の視線から、シャッタ６をできるだけ隠させることを考慮すると、前述したようにシャッタ６の表面６０の傾斜角度θ１としては、仮想水平線Ｈ１に対して５０度以下、殊に４５度以下とされていることが好ましく、１０度以上、１５度以上とすることができる。ここで、鉛直線をＰ１とすると、シャッタ６の表面６０と鉛直線Ｐ１との間の角度α１としては、４０度以上、４５度以上、５０度以上が好ましく、７５度以下、８０度以下とすることができる。
【００３６】
図６に示すように、基部２の収容室２４には、シャッタ６を閉鎖可能に支持するシャッタ閉鎖機構６５が設けられている。シャッタ閉鎖機構６５は、シャッタ６の裏面６１側に連接された支持アーム６６と、シャッタ閉鎖方向に支持アーム６６およびシャッタ６を常時付勢する付勢部材６７とを備えている。支持アーム６６は、シャッタ６の回動中心に対して円弧状に曲成されている。
【００３７】
図９は、シャッタ６が閉鎖しているときにおける基部２のノズル出入壁５付近の断面を示す。図１０および図１１は基部２の収容室２４の内部を示す。ここで、図９に示すように、付勢部材６７はねじりコイルばねで形成されており、基部２の収容室２４において軸状の支持部２ｋに保持された円コイル状の本体部６７ａと、本体部６７ａの一端からほぼ放射状に延設された腕状の一端部６７ｂと、本体部６７ａの他端からほぼ放射状に延設された腕状の他端部６７ｃとを備えている。図９に示すように、付勢部材６７の一端部６７ｂは、基部２の係合凹部２５に嵌合して拘束されている。付勢部材６７の他端部６７ｃは、支持アーム６６の他端部６７ｅの取付孔６７ｆに挿入されて係合している。これにより付勢部材６７は、矢印Ｒ１方向（シャッタ閉鎖方向）に支持アーム６６およびシャッタ６を常時付勢している。
【００３８】
従って、第１洗浄ノズル４１、第２洗浄ノズル４２および乾燥ノズル４３の全部が後退して後退位置に位置するとき、付勢部材６７の付勢力によりシャッタ６は矢印Ｒ１方向（シャッタ閉鎖方向）に回動して閉鎖されている。このようにシャッタ６が閉鎖されているとき、図９に示すように、シャッタ６は、便座中央３ｃから離間するように仮想水平線Ｈ１に対して角度θ１で傾斜し、便器排泄空間１１から退避しており、便座３の前部３ｆ側に存在する使用者の視線に対してできるだけ隠されている。
【００３９】
図９〜図１１に示すように、基部２の一部であるノズル出入壁５のうち収容室２４側の内面側には、凸状の被ストッパ５３が膨出状態で固定されている。第１洗浄ノズル４１、第２洗浄ノズル４２および乾燥ノズル４３のいずれかが前進方向（矢印Ａ１方向）に前進すると、当該ノズルの先端部によりシャッタ６は前進方向（矢印Ａ１方向）に押圧されて開放する。このとき、シャッタ６に連接されている支持アーム６６は、矢印Ｒ２方向（シャッタ開放方向）に回動する。このとき支持アーム６６の他端部６７ｅに突設されているピン状のストッパ６８が被ストッパ５３に当接する（図１１参照）。このため、矢印Ｒ２方向（シャッタ開閉方向）へ支持アーム６６が過剰回動することは抑制されている。ひいてはシャッタ６の過剰開放は抑制される。このようにシャッタ６の開放角度は、過剰とならないように規制されている。このようにシャッタ６が開放しているときであっても、シャッタ６は、後退位置に位置する他のノズル（後退位置にあるノズル）の先端部に洗浄水の飛沫等が付着することを抑えることができる。
【００４０】
本実施形態によれば、前述したように使用者の便局部を洗浄するとき、第１洗浄ノズル４１がノズル出入壁５の円形状の開口５ａからラック４１ｂと共に矢印Ａ１方向に前進して便器排泄空間１１に向けて突出する（図８（Ａ）参照）。女性局部を洗浄するとき、第２洗浄ノズル４２が矢印Ａ１方向に前進する。そして、前進位置にある第１洗浄ノズル４１または第２洗浄ノズル４２から洗浄水が局部に向けて吹き出され、局部が洗浄される。このように局部を洗浄する洗浄水の飛沫が飛散するおそれがある。このとき万一、飛沫がシャッタ６に付着するようなことがある。飛沫の付着跡は汚れとなるおそれがある。このような場合であっても、シャッタ６が閉鎖しているとき、前述したように、シャッタ６はその上部６ｕから下部６ｄに向かうにつれて、便座中央３ｃから離間するように仮想水平線Ｈ１に対して第１傾斜角度θ１で傾斜している。故に、便座３の前部３ｆ側の使用者の視線から閉鎖中のシャッタ６をできるだけ退避させることができる。このため、便器１の便器排泄空間１１内に放尿する使用者（男性使用者）等のように便器１の前部側に存在する使用者は、閉鎖中のシャッタ６の付着跡を視認しにくい。このため使用者に不快感に与えることが抑えられる。
【００４１】
本実施形態によれば、使用者（男性使用者）が便器１の便器排泄空間１１内に放尿するとき、いずれのノズルも前進していないため、シャッタ６は閉鎖してノズル出入壁５を覆っている。図２および図３は、閉鎖状態のシャッタ６が便器１の便器排泄空間１１に露出している状態を示す。前述したように、シャッタ６が閉鎖しているとき、シャッタ６はその上部６ｕから下部６ｄに向かうにつれて、便座中央３ｃから離間するように仮想水平線Ｈ１に対して傾斜角度θ１で傾斜している。故に、閉鎖中のシャッタ６を便座３の前部側の使用者の視線からできるだけ退避させることができる。このため、便器１の便器排泄空間１１内に放尿する使用者（男性使用者）等のように便器１の前部側に存在する使用者は、閉鎖中のシャッタ６を視認しにくい。このため使用者に不快感に与えることが抑えられる。
【００４２】
加えて本実施形態によれば、シャッタ６は、基部２のノズル出入壁５に対して脱着可能とされている。以下、この構造について説明を加える。図１３に示すように、この支持アーム６６の先端部には突起状の係合部６９が形成されている。これに対して、樹脂製のシャッタ６の裏面６１には、凹部６４ａをもつ突起状の被係合部６４が一体的に複数個（係合部６９と同数個）、係合部６９に対面可能に形成されている。なお、別体の被係合部６４をシャッタ６の裏面６１に接着剤、取付具等で一体に被着させてもよい。
【００４３】
ここで、シャッタ６を支持アーム６６の係合部６９に押しつけると、シャッタ６に設けられている弾性変形可能な被係合部６４は、基部２側の支持アーム６６の係合部６９により加圧される。すると、被係合部６４は拡開方向（図１３に示す矢印ＥＡ方向）に弾性変形し、その後弾性変形が解除される。このため支持アーム６６の係合部６９とシャッタ６の被係合部６４とがスナップ嵌合により係合される。この結果、支持アーム６６の先端部６６ａにシャッタ６が離脱可能に取り付けられている。この状態では、支持アーム６６に連動してシャッタ６が動作できる。
【００４４】
そして、支持アーム６６に取り付けられているシャッタ６を基部２から離脱させる場合について説明する。この場合には、シャッタ６を手指または工具で掴み、基部２から強制的に離脱方向（図１３に示すＥＦ方向）に離脱させれば、支持アーム６６の係合部６９からシャッタ６の被係合部６４が外れるため、上記スナップ嵌合は解除される。これによりシャッタ６の被係合部６４は、支持アーム６６の係合部６９から離脱される。このようにシャッタ６を基部２側の支持アーム６６から離脱させれば（図４および図１４参照）、シャッタ６を容易に清掃することができる。シャッタ６のみを洗浄することもできる。
【００４５】
更に、基部２のうちシャッタ６が取り付けられていた部位（ノズル出入壁５など）についても、雑巾等の清掃具で容易に清掃することができる。このようにシャッタ６を離脱方向（シャッタ開放方向）に強制的に移動させるとき、前述したように支持アーム６６が引っ張られる。この場合、支持アーム６６の他端部６７ｅに突設されているピン状のストッパ６８が基部２内の被ストッパ５３に当接する（図１１参照）。このため、支持アーム６６の矢印Ｒ２方向（シャッタ開放方向）への過剰回動は抑制される。故に、シャッタ６を支持アーム６６から離脱させる操作が容易となる。
【００４６】
図４は、基部２のノズル出入壁５からシャッタ６を離脱させた状態を示す。図１４も、基部２のノズル出入壁５からシャッタ６を離脱させた状態を示す。ここで、図１４に示すように、基部２のノズル出入壁５は、第１洗浄ノズル４１が出し入れされる第１開口５ａと、第２洗浄ノズル４２が出し入れされる第２開口５ｂと、乾燥ノズル４３が出し入れされる第３開口５ｃとを有する。第１開口５ａおよび第２開口５ｂはほぼ円形状を示す。第３開口５ｃは異形状を示す。更にノズル出入壁５は、支持アーム６６が出し入れされる小さな開口５ｘをもつ。
【００４７】
ここで、図１４に示すノズル出入壁５において、第１洗浄ノズル４１の外周面と第１開口５ａの内周面との間の隙間をβ１として示す。第２洗浄ノズル４２の外周面と第２開口５ｂの内周面との間の隙間をβ２として示す。乾燥ノズル４３の外周面と第３開口５ｃの内周面との間の隙間をβ３として示す。隙間β１〜β３は０．０１〜０．５ミリメートル程度、殊に０．１〜０．２ミリメートル程度とかなり小さく設定されている。これによりシャッタ６が開放しているときであっても、あるいは、シャッタ６が取り外されているときであっても、飛沫等が隙間β１〜β３から基部２の収容室２４内に進入することが抑えられ、衛生的である。
【００４８】
更に図４に示すように、第１洗浄ノズル４１、第２洗浄ノズル４２、乾燥ノズル４３が基部２の収容室２４に収容されているとき、第１洗浄ノズル４１の平坦な先端面４１ｆ、第２洗浄ノズル４２の平坦な先端面４２ｆ、乾燥ノズル４３の先端面４３ｆは、ノズル出入壁５の表面５０と同一高さ面とされており、ノズル出入壁５に対して、段差がないか少なくされた実質的な平坦面状態（面一状態）とされている。このため第１洗浄ノズル４１、第２洗浄ノズル４２、乾燥ノズル４３が基部２の収容室２４に収容されているとき（ノズル不使用時）、雑巾等の清掃具でノズル出入壁５を拭き取れば、第１洗浄ノズル４１の先端面４１ｆ、第２洗浄ノズル４２の先端面４２ｆ、乾燥ノズル４３の先端面４３ｆを、ノズル出入壁５と共に同時に容易に清掃することができる。
【００４９】
更に本実施形態によれば、図５〜図７に示すように、基部２は、臭気を吸い込むための吸込開口２７を備えている。吸込開口２７は、閉鎖しているシャッタ６よりも便座中央３ｃから離間する位置に配置されており、便器排泄空間１１に対面している。基部２の収容室２４に配置されているファン（図示せず）が作動すると、吸込開口２７から便器排泄空間１１付近の臭気が収容室２４内に吸引され脱臭される。この場合、前進位置にある第１洗浄ノズル４１の吹出口４１ａ（図７参照）から洗浄水ＷＡを吹き出して局部を洗浄するとき、局部を洗浄する洗浄水の飛沫が吸込開口２７に付着したり、進入したりすることが抑制される。
【００５０】
第１洗浄ノズル４１が洗浄処理した後に矢印Ａ２方向に後退して基部２の収容室２４に収容されるとき、第１洗浄ノズル４１付近には残水が発生するおそれがある。第２洗浄ノズル４２の場合も同様である。この場合、残水はノズルガイド４４または傾斜壁２８に沿って流下する（図７参照）。そしてその残水をノズルガイド４４の案内開口４４ｍを介して吸込開口２７から便器排泄空間１１内に矢印Ｗ１方向（図７参照）にドレンすることができる。あるいは、その残水を傾斜壁に沿って流下させて吸込開口２７から便器排泄空間１１内に矢印Ｗ１方向にドレンすることができる。このように吸込開口２７は、臭気の吸引機能およびドレン機能の双方の機能を果たす。
【００５１】
更に本実施形態によれば、図５および図６に示すように、基部２のベース２０の先端２０ｆ側には、便器排泄空間１１内に対面可能な傾斜壁２８が形成されている。傾斜壁２８は、ベース２０とノズル出入壁５との間に位置しており、便器１のうち便器排泄空間１１の後部に対面する後面壁１６に対面している。傾斜壁２８は、前後方向（矢印ＦＲ方向）において、便座中央３ｃから離間するにつれて、つまり、ベース２０の後部２０ｒに向かうにつれて、直状に上昇傾斜している。図１２に示すように、吸込開口２７は、この傾斜壁２８のうちシャッタ６側に位置するように開口している。吸込開口２７は細いスリット状とされており、ノズル４１〜４３の並設方向に沿って延設されており、一端２７ｅおよび他端２７ｆをもつ。
【００５２】
このように吸込開口２７が傾斜壁２８に形成されているため、前進位置にある第１洗浄ノズル４１または第２洗浄ノズル４２から洗浄水を吹き出して局部を洗浄しているときであっても、図７に示すように、吸込開口２７は便器１の便器排出１１の後面壁１６に対面するものの、人体の局部に直接対面することが抑えられる。このため、局部を洗浄する洗浄水の飛沫が吸込開口２７に付着したり、進入したりすることが一層抑制される。同様に、男性使用者が放尿するときであっても、放尿の飛沫が吸込開口２７に付着したり、進入したりすることが抑制される。なお、図７に示すように、吸込開口２７の中心線Ｐ４は、下方に向かうにつれて便座中央３ｃから離間するように（ベース２０の後部２０ｒに近づくように）鉛直線Ｐ１に対して傾斜している。なお、図１５は乾燥ノズル４３が矢印Ａ１方向に前進してシャッタ６を開放させている状態を示す。この場合、乾燥ノズル４３の吹出口４３ｍから空気が吹き出され、洗浄後の局部が乾燥される。
【００５３】
以上説明したように本実施形態によれば、ノズル４１〜４３を出し入れするためのノズル出入壁５は、これの上部５ｕから下部５ｄに向かうにつれて、便座３の下降時、つまり便座３の閉鎖時において、便座中央３ｃから離間するように仮想水平線Ｈ１に対して角度θ１で傾斜している（図５および図６）。このためノズル出入壁５は、局部洗浄の際の飛沫、男性使用者による放尿の飛沫等からできるだけ退避することができる。この結果、飛沫などがノズル出入壁５の表面５０に付着することが抑制される。更に、上記飛沫がノズル出入壁５の開口５ａ，５ｂ，５ｃから基部２の収容室２４内に進入したりすることが抑制される。このため衛生的である。
【００５４】
仮に飛沫等がノズル出入壁５やシャッタ６に付着するようなことがあるとしても、前述したように、ノズル出入壁５は、ノズル出入壁５の上部５ｕからノズル出入壁５の下部５ｄに向かうにつれて、便座中央３ｃから離間するように（ベース２０の後部２０ｒに近づくように）、仮想水平線Ｈ１に対して傾斜角度θ１で傾斜している。同様に、閉鎖中のシャッタ６は、ノズル出入壁５の上部５ｕからノズル出入壁５の下部５ｄに向かうにつれて、便座中央３ｃから離間するように仮想水平線Ｈ１に対して実質的に傾斜角度θ２（θ１≒θ２，θ１＝θ２）で傾斜している。したがって、便座３の前部３ｆ側の前方に存在する使用者の視線から、ノズル出入壁５および閉鎖中のシャッタ６を、できるだけ退避させて隠すことができる。このため万一、ノズル出入壁５およびシャッタ６に飛沫の付着跡が存在したとしても、使用者は、ノズル出入壁５およびシャッタ６の飛沫の付着跡を視認しにくい。このため使用者に不快感に与えることが抑えられる。
【００５５】
ところで本実施形態によれば、洗浄時には、前述したように、図８（Ａ）に示す如く、第１洗浄ノズル４１がノズル出入壁５の円形状の開口５ａからラック４１ｂと共に矢印Ａ１方向に前進し、便器排泄空間１１に向けて突出する。この場合、本実施形態によれば、軸直角方向の断面を示す図８（Ｂ）に示すように、第１洗浄ノズル４１のラック４１ｂを構成するラック歯の先端面４１ｂｏの外輪郭は、凸円弧状に丸みをもつように設定されており、この結果、第１洗浄ノズル４１の外周壁面４１ｏの外輪郭の延長線とほぼ同じ輪郭形状とされている。換言すると、第１洗浄ノズル４１をこれのラック４１ｂを含むように第１洗浄ノズル４１の軸直角方向に沿って切断するとき、その断面がほぼ真円状等の円形状となるように設定されている。換言すると、第１洗浄ノズル４１の下面部には、ラック歯をもつラック４１ｂが列設されており、ラック歯のそれぞれの先端部は第１洗浄ノズル４１の外周壁面と略同じ曲率である。このため、第１洗浄ノズル４１のラック４１ｂから角部が除去されている。従って、第１洗浄ノズル４１の外周壁面４１ｏを雑巾等で拭くとき、雑巾等がラック４１ｂに引っかかることが抑えられ、ラック４１ｂ付近の清掃を円滑に行うことができる。更に、ラック４１ｂの先端面４１ｂｏの外輪郭は、丸みを帯びつつ、ノズル出入壁５の円形状の開口５ａの内輪郭５ａｏとほぼ整合する形状をなしている。このため、第１洗浄ノズル４１の前進および後退時において、ラック４１ｂを開口５ａに対して容易に出し入れすることができる。第２洗浄ノズル４２および第３ノズル４３に対しても同様なラック構造とすることができる。第２洗浄ノズル４２の下面部には、ラック歯をもつラックが列設されており、ラック歯のそれぞれの先端部は第２洗浄ノズル４２の外周壁面と略同じ曲率である。第３洗浄ノズル４３の下面部には、ラック歯をもつラックが列設されており、ラック歯のそれぞれの先端部は第３洗浄ノズル４３の外周壁面と略同じ曲率である。
【００５６】
（実施形態２）
図１６は実施形態２を示す。本実施形態は前記した実施形態１と基本的には同様の構成、同様の作用効果を有するため、異なる部分を中心として説明する。本実施形態によれば、図１６に示すように、シャッタレス方式が採用されており、シャッタ６は装備されていない。基部２は、便器１の便器排泄空間１１に対面するノズル出入壁５を備えている。ノズル出入壁５は、ノズル出入壁５の上部５ｕからノズル出入壁５の下部５ｄに向かうにつれて、便座中央３ｃから離間するように、仮想水平線Ｈ１に対して第１傾斜角度θ１で傾斜している。θ１は仮想水平線Ｈ１に対して５０度以下、殊に４５度以下とされている。これは、便座３の前部側に存在する使用者の視線からノズル出入壁５が退避することを考慮したものである。
【００５７】
実施形態１と同様に、図１６に示すように、ノズル出入壁５は、第１洗浄ノズル４１が出し入れされる第１開口５ａと、第２洗浄ノズル４２が出し入れされる第２開口５ｂと、乾燥ノズル４３が出し入れされる第３開口５ｃとをもつ。ノズル出入壁５において、第１洗浄ノズル４１の外周面と第１開口５ａの内周面との間の隙間をβ１として示す。第２洗浄ノズル４２の外周面と第２開口５ｂの内周面との間の隙間をβ２として示す。乾燥ノズル４３の外周面と第３開口５ｃの内周面との間の隙間をβ３として示す。隙間β１，β２，β３は０．０１〜０．２ミリメートル程度と小さく設定されている。これによりシャッタ６が開放しているときであっても、飛沫が隙間β１，β２，β３から収容室２４内に進入することが抑えられる。
【００５８】
第１洗浄ノズル４１、第２洗浄ノズル４２、乾燥ノズル４３が基部２の収容室２４に収容されているときには、第１洗浄ノズル４１の平坦な先端面４１ｆ、第２洗浄ノズル４２の平坦な先端面４２ｆ、乾燥ノズル４３の先端面４３ｆは、ノズル出入壁５と同一高さ面とされており、ノズル出入壁５に対して平坦面状態（面一状態）とされている。このため第１洗浄ノズル４１、第２洗浄ノズル４２、乾燥ノズル４３が基部２の収容室２４に収容されているとき（ノズル不使用時）、雑巾等でノズル出入壁５を拭き取れば、第１洗浄ノズル４１の先端面４１ｆ、第２洗浄ノズル４２の先端面４２ｆ、乾燥ノズル４３の先端面４３ｆを、ノズル出入壁５と共に容易に清掃することができる。本実施形態によれば、シャッタ６が装備されていないため、支持アーム６６は廃止されている。故に、図１６に示すように、ノズル出入壁５においては、支持アーム６６が出し入れされる小さな開口５ｘが形成されていない。
【００５９】
（実施形態３）
図１７は実施形態３を示す。本実施形態は前記した実施形態１と基本的には同様の構成、同様の作用効果を有するため、異なる部分を中心として説明する。本実施形態によれば、シャッタ６、第１洗浄ノズル４１、第２洗浄ノズル４２が設けられているものの、乾燥ノズル４３は設けられていない。
【００６０】
（実施形態４）
図１８は実施形態４を示す。本実施形態は前記した実施形態１と基本的には同様の構成、同様の作用効果を有するため、異なる部分を中心として説明する。本実施形態によれば、基部２は、ベース２０とカバー２２とで形成されている。ベース２０とカバー２２との合わせ部２２ｍは、便器１の取付面１５上に配置されている。この場合、前記した飛沫が合わせ部２２ｍから基部２の収容室２４内に進入することが抑えられている。
【００６１】
（その他）
上記した実施形態１によれば、前進後退機構４６は、第１洗浄ノズル４１の形成されたラック４１ｂにかみ合うピニオン４７と、ピニオン４７を回転させる回転源としてのモータ４８とを備えている。これに限らず、洗浄水の水圧で第１洗浄ノズル４１を前進させてもよい。洗浄が終了すれば、第１洗浄ノズル４１に作用する水圧が低下するため、第１洗浄ノズル４１を後退させる方向に付勢するばねにより、自動的に復帰させてもよい。実施形態１によれば、第１洗浄ノズル４１、第２洗浄ノズル４２および乾燥ノズル４３が配設されているが、乾燥ノズル４３は配設されていなくてもよい。また第１洗浄ノズル４１および第２洗浄ノズル４２のうちの一方が搭載されていれば、他方は必ずしも搭載されていなくてもよい。実施形態１によれば、樹脂製のシャッタ６の裏面６１には、複数の凹部をもつ突起状の被係合部６４が形成されており、シャッタ６の被係合部６４は、基部２側の支持アーム６６の凸状の係合部６９にスナップ嵌合により係合されているが、これに限らず、凹凸は逆の関係にしてもよい。シャッタ６を閉鎖方向に付勢する付勢部材６７としては板ばね、コイルばねとしてもよい。便蓋４は通常は基部２に搭載されているが、必ずしも搭載されていなくてもよい。実施形態１によれば、第１洗浄ノズル４１のラック４１ｂの先端面４１ｂｏの外輪郭は、凸円弧状に丸みをもつように設定されているが、これに限らず、ラック４１ｂの先端面４１ｂｏは第１洗浄ノズル４１の外周壁面４１ｏから径外方向に突出していても良い。実施形態１によれば、ノズル４１〜４３の下面部には、ラック歯をもつラックが列設されており、ラック歯のそれぞれの先端部はノズル４１〜４３の外周壁面（外壁面）と略同じ曲率であるが、これに限らず、洗浄ノズル４１の下面部ラック歯の先端部は洗浄ノズル４１の外周壁面（外壁面）と同じ曲率でなくても良い。あるいは、洗浄ノズル４２の下面部のラック歯の先端部は洗浄ノズル４２の外周壁面と同じ曲率でなくても良い。ノズル４３についても同様である。各ノズル４１〜４３の前進後退は水圧シリンダまたは空気圧シリンダで前進後退させても良い。
【００６２】
その他、本発明は上記し且つ図面に示した実施形態のみに限定されるものではなく、要旨を逸脱しない範囲内で適宜変更して実施することができる。各実施形態の特有の特徴を併有することにしてもよい。上記した記載から次の技術的思想も把握される。
【００６３】
（付記項１）便器に据え付けられる基部と、前記基部に回動可能に設けられ使用者の尻部が着座する便座と、前記基部に前進および後退可能に配設され前進位置で前記使用者の局部に洗浄液を吹き出すとともに後退位置で退避する洗浄ノズルとを具備しており、前記基部は、前記洗浄ノズルが出し入れされる開口をもつノズル出入壁と、前記ノズル出入壁を開閉可能に覆うとともに、前記洗浄ノズルが前進位置に位置するとき開放し、且つ、前記洗浄ノズルが後退位置に位置するとき閉鎖するシャッタとを備えていることを特徴とする局部洗浄装置。
【００６４】
（付記項２）便器に据え付けられる基部と、前記基部に回動可能に設けられ使用者の尻部が着座する便座と、前記基部に前進および後退可能に配設され前進位置で前記使用者の局部に洗浄液を吹き出すとともに後退位置で退避する洗浄ノズルとを具備しており、前記基部は、前記洗浄ノズルが出し入れされる開口をもつノズル出入壁と、前記ノズル出入壁を開閉可能に覆うとともに、前記洗浄ノズルが前進位置に位置するとき開放し、且つ、前記洗浄ノズルが後退位置に位置するとき閉鎖するシャッタを備えており、前記シャッタは、これが閉鎖しているとき、前記シャッタの上部から前記シャッタの下部に向かうにつれて、便座中央から離間するように（基部のベースの後部に近づくように）前記仮想水平線に対して５０度以下の傾斜角度で傾斜していることを特徴とする局部洗浄装置。
【００６５】
（付記項３）便器に据え付けられる基部と、前記基部に回動可能に設けられ使用者の尻部が着座する便座と、前記基部に前進および後退可能に配設され前進位置で前記使用者の局部に洗浄液を吹き出すとともに後退位置で退避する洗浄ノズルとを具備しており、前記基部は、前記洗浄ノズルが出し入れされる開口をもつノズル出入壁と、洗浄ノズルはピニオン状の回転体と噛み合うラックをもち、洗浄ノズルの軸直角方向に沿った断面において、洗浄ノズルのラックの先端面の外輪郭は、凸円弧状に設定されており、且つ、洗浄ノズルの外周壁面の外輪郭の延長線に対応するように当該延長線とほぼ同じ輪郭形状に設定されていることを特徴とする局部洗浄装置。洗浄ノズルのラックの清掃が容易となる。
【００６６】
（付記項４）便器に据え付けられる基部と、基部に回動可能に設けられ使用者の尻部が着座する便座と、基部に前進および後退可能に配設され前進位置で使用者の局部に洗浄液を吹き出すとともに後退位置で退避する洗浄ノズルとを具備しており、基部は、洗浄ノズルが出し入れされる開口をもつノズル出入壁を備え、ノズル出入壁は、これの上部から下部に向かうにつれて、便座中央から離間するように仮想水平線に対して５０度以下の第１傾斜角度で傾斜していることを特徴とする。
【産業上の利用可能性】
【００６７】
本発明は例えば一般家庭、公共施設、ビル等のトイレに設けられる局部洗浄装置に利用できる。
【図面の簡単な説明】
【００６８】
【図１】便器に取り付けられる局部洗浄装置を示す斜視図である。
【図２】局部洗浄装置の基部に形成されているノズル出入壁付近を、便座の下方から視認する斜視図である。
【図３】第１洗浄ノズル、第２洗浄ノズルおよび乾燥ノズルを備えるベースを下方から視認して示すと共に、シャッタを閉鎖している状態を示す斜視図である。
【図４】第１洗浄ノズル、第２洗浄ノズルおよび乾燥ノズルを備えるベースを下方から視認して示すと共に、シャッタを基部から離脱させている状態を示す斜視図である。
【図５】シャッタが閉鎖されていると共に後退位置に後退させている第１洗浄ノズル付近を示す断面図である。
【図６】シャッタが開放されていると共に前進位置に前進させている第１洗浄ノズル付近を示す断面図である。
【図７】シャッタが閉鎖されている状態を拡大して示す要部の断面図である。
【図８】（Ａ）は第２洗浄ノズルおよび乾燥ノズルが後退位置に後退していると共に、第１洗浄ノズルが前進位置に前進している状態を下方から視認して示す斜視図であり、（Ｂ）は前進している第１洗浄ノズルのラック付近の断面図である。
【図９】付勢された支持アームによりシャッタが閉鎖されている状態を示す断面図である。
【図１０】支持アームがシャッタ閉鎖方向に回動している状態を示す斜視図である。
【図１１】支持アームがシャッタ開放方向に回動している状態を示す斜視図である。
【図１２】シャッタが開放されていると共に、第１洗浄ノズル、第２洗浄ノズルおよび乾燥ノズルが後退位置に後退している状態を下方から視認して示す斜視図である。
【図１３】シャッタの被係合部と支持アームの係合部とをスナップ嵌合させる状態を示す断面図である。
【図１４】シャッタを基部から離脱させた状態を示す斜視図である。
【図１５】シャッタが開放されていると共に、第１洗浄ノズル、第２洗浄ノズルが後退位置に後退しており、且つ、乾燥ノズルが前進している状態を下方から視認して示す斜視図である。
【図１６】実施形態２に係り、シャッタを装備しないノズル出入壁付近の状態を下方から視認して示す斜視図である。
【図１７】実施形態３に係り、シャッタを装備するものの乾燥ノズルを装備していないノズル出入壁付近の状態を下方から視認して示す斜視図である。
【図１８】実施形態４に係り、シャッタが閉鎖されていると共に、後退位置に後退させている第１洗浄ノズル付近を示す断面図である。
【符号の説明】
【００６９】
１は便器、１１は便器排泄空間、１５は取付面、２は基部、２０はベース、２２はカバー、２４は収容室、２７は吸込開口、２８は傾斜壁、３は便座、３ｃは便座中央、４１は第１洗浄ノズル、４１ｂはラック、４２は第２洗浄ノズル、４３は乾燥ノズル、４４はノズルガイド、４１ｆは第１洗浄ノズルの先端面、４２ｆは第２洗浄ノズルの先端面、４３ｆは乾燥ノズルの先端面、４４はノズルガイド、４６は前進後退機構、４７はピニオン、４８はモータ、５はノズル出入壁、５ａは第１開口、５ｂは第２開口、５ｃは第３開口、５０はノズル出入壁の表面、５３は被ストッパ、６はシャッタ、６０はシャッタの表面、６４は被係合部、６５はシャッタ閉鎖機構、６６は支持アーム、６７は付勢部材、６８はストッパ、６９は係合部、Ｈ１は仮想水平線を示す。
【図１】
0005236229.tif 000002
【図２】
0005236229.tif 000003
【図３】
0005236229.tif 000004
【図４】
0005236229.tif 000005
【図５】
0005236229.tif 000006
【図６】
0005236229.tif 000007
【図７】
0005236229.tif 000008
【図８】
0005236229.tif 000009
【図９】
0005236229.tif 000010
【図１０】
0005236229.tif 000011
【図１１】
0005236229.tif 000012
【図１２】
0005236229.tif 000013
【図１３】
0005236229.tif 000014
【図１４】
0005236229.tif 000015
【図１５】
0005236229.tif 000016
【図１６】
0005236229.tif 000017
【図１７】
0005236229.tif 000018
【図１８】
0005236229.tif 000019